(57)【要約】      （修正有）【課題】装置の大型化を伴うことなく、輝尽性感光体プレートと読取部の読取位置とのアライメントを適正にすること。【解決手段】カセッテ１０は、プレート１０１とトレーＴＲが引出部２０７により引き出される際に、プレート１０１をトレーＴＲの基準位置に押圧する押圧部を有する。また引出部２０７は、プレート１０１とトレーＴＲを引き出して、プレート１０１を保持したトレーＴＲを搬送部の基準面に当接させる。【選択図】図２０
2012098645.tif 000002
【特許請求の範囲】
【請求項１】
少なくとも、輝尽性感光体プレートと、前記輝尽性感光体プレートを保持するトレーと、前記輝尽性感光体プレートを保持した状態の前記トレーを移動可能に収容するハウジングと、によって構成されるカセッテと、
少なくとも、放射線画像情報を読み取る読取部と、前記カセッテが装填される装填部と、前記装填部に装填された前記カセッテの内部から前記輝尽性感光体プレートと前記トレーを引き出す引出部と、前記引出部により引き出された前記輝尽性感光体プレートを前記読取部に向けて搬送する搬送部と、を有する読取装置と、
を備える放射線画像読取システムであって、
前記カセッテは、前記輝尽性感光体プレートと前記トレーが前記引出部により引き出される際に、前記輝尽性感光体プレートを前記トレーの基準位置に押圧する押圧部を有し、
前記引出部は、前記輝尽性感光体プレートと前記トレーを引き出して、前記輝尽性感光体プレートを保持した前記トレーを前記搬送部の基準位置に当接させることを特徴とする放射線画像読取システム。
【請求項２】
前記装填部には複数のサイズのカセッテが充填可能であり、
何れのサイズのカセッテが前記装填部に装填されても前記引出部による前記トレーの引き出し量が同一であることを特徴とする請求項１に記載の放射線画像読取システム。
【請求項３】
前記カセッテは、前記トレーが前記カセッテ内に完全に収容された際に前記押圧部による押圧を解除する解除部を有することを特徴とする請求項１又は２に記載の放射線画像読取システム。
【発明の詳細な説明】
【技術分野】
【０００１】
本発明は、放射線画像読取システムに関する。
【背景技術】
【０００２】
被写体に放射線を照射し、被写体を透過した放射線を検出して放射線画像を得る方法として、輝尽性感光体プレートを内部に収容したカセッテを利用して放射線画像を検出するものがある。
【０００３】
輝尽性感光体プレートを内部に収容したカセッテを利用して放射線画像を検出する方法では、まず、カセッテを利用して放射線画像を撮影し、その後、カセッテを読取装置にセットしてカセッテを開けて輝尽性感光体プレートを取り出し、輝尽性感光体プレートを読取部に搬送させて読取動作を実行する。読取動作が実行されると輝尽性感光体プレートは消去部により残像が消去処理されて、再度カセッテ内に収容される。
【０００４】
このような放射線画像を検出する方法を採用した技術は各種提案されており、例えば特許文献１、特許文献２、特許文献３に記載されている。
【先行技術文献】
【特許文献】
【０００５】
【特許文献１】特開平６−１９０１７号公報
【特許文献２】米国特許第７４３２５１２号明細書
【特許文献３】特開２０００−２７２７８０号公報
【発明の概要】
【発明が解決しようとする課題】
【０００６】
輝尽性感光体プレートを内部に収容したカセッテは、輝尽性感光体プレートの出し入れを円滑に行うために、輝尽性感光体プレートが収容されるハウジング内部の寸法を輝尽性感光体プレートより大きく設定し、カセッテのハウジングと輝尽性感光体プレートとの間に多少の隙間を設けている。
【０００７】
特許文献１や特許文献２に記載の技術では、カセッテを読取装置にセットした後、カセッテの一端に設けたカバーを開けてカセッテ内部から輝尽性感光体プレートを取り出し、輝尽性プレートを読取部に搬送されているが、前述したカセッテのハウジングと輝尽性感光体プレートとの間の隙間が影響して、カセッテから輝尽性感光体プレートを取り出す際に輝尽性感光体プレートの位置がずれ、搬送部により搬送されてきた輝尽性感光体プレートと読取部における読取位置とのアライメント（例えば輝尽性感光体プレートの先端とレーザー主走査方向との平行度）を適正に設定することは出来ない。従って、読取画像の欠陥が生じ、再度、放射線画像を撮影しなければならない恐れがあった。
【０００８】
特許文献３では、搬送部において輝尽性感光体プレートの位置規制機構を設けて、輝尽性感光体プレートと読取部における読取位置とのアライメントを適正に設定するようにしているが、位置規制機構を設ける分だけ機械構成が大きくなり、また機械構成が複雑になるという問題があった。
【０００９】
そこで、本発明の目的は、装置の大型化を伴うことなく、輝尽性感光体プレートと読取部の読取位置とのアライメントを適正にすることが出来る放射線画像読取システムを提供することにある。
【課題を解決するための手段】
【００１０】
上記目的を達成するため、本発明に係る放射線画像読取システムは、
少なくとも、輝尽性感光体プレートと、前記輝尽性感光体プレートを保持するトレーと、前記輝尽性感光体プレートを保持した状態の前記トレーを移動可能に収容するハウジングと、によって構成されるカセッテと、
少なくとも、放射線画像情報を読み取る読取部と、前記カセッテが装填される装填部と、前記装填部に装填された前記カセッテの内部から前記輝尽性感光体プレートと前記トレーを引き出す引出部と、前記引出部により引き出された前記輝尽性感光体プレートを前記読取部に向けて搬送する搬送部と、を有する読取装置と、
を備える放射線画像読取システムであって、
前記カセッテは、前記輝尽性感光体プレートと前記トレーが前記引出部により引き出される際に、前記輝尽性感光体プレートを前記トレーの基準位置に押圧する押圧部を有し、
前記引出部は、前記輝尽性感光体プレートと前記トレーを引き出して、前記輝尽性感光体プレートを保持した前記トレーを前記搬送部の基準位置に当接させることを特徴とするものである。
【発明の効果】
【００１１】
本発明に係る放射線画像読取システムによれば、装置の大型化を伴うことなく、輝尽性感光体プレートと読取部の読取位置とのアライメントを適正にすることが出来る。
【図面の簡単な説明】
【００１２】
【図１】放射線画像読取システムを示す概略図である。
【図２】放射線画像読取システムを示す概略図である。
【図３】カセッテを斜め上方から見た斜視図である。
【図４】図１に示す破線Ｘ領域におけるカセッテの側面を示す部分拡大図である。
【図５】プレートとトレーが引き出された状態を示す側面図である。
【図６】プレートとトレーが引き出された状態を示す斜視図である。
【図７】トレーに設置された爪を示すカセッテ側面の部分断面図である。
【図８】トレーに設置された爪を示すカセッテ側面の部分断面図である。
【図９】プレートとトレーをフロント板側から見た平面図である。
【図１０】押圧部を示す斜視図である。
【図１１】カセッテの後端部側から見たトレー、プレート、押圧部、フロント板との関係を示す部分断面図である。
【図１２】カセッテの先端部を示す部分拡大図である。
【図１３】トレーがバック板に支持されている構造を示す説明図である。
【図１４】トレーの飛び出し防止機構を示す説明図である。
【図１５】バック板を拡大した斜視図である。
【図１６】突起移動部を示す斜視図である。
【図１７】引出部を示す斜視図である。
【図１８】押下部を示す斜視図である。
【図１９】引出部を示す斜視図である。
【図２０】プレートとトレーが引き出された状態を示す側面図である。
【図２１】ニップローラ対によりプレートが挟持された状態を示す側面図である。
【図２２】プレートが搬送される状態を示す側面図である。
【図２３】プレートとトレーをフロント板側から見た平面図である。
【図２４】サイド規制部材を示す拡大斜視図である。
【図２５】押圧部の詳細構造を示す斜視図である。
【図２６】フロント板とバック板が固定される構造を示す側面図である。
【図２７】第１固定部、第２固定部を示す拡大図である。
【発明を実施するための形態】
【００１３】
［放射線画像読取システムの概要］
図１、図２は、放射線画像読取システム１を示す概略図である。
【００１４】
放射線画像読取システム１は、被写体を透過した放射線を検出して放射線画像情報を読み取るシステムである。図１に示すように、放射線画像読取システム１は、プレート（輝尽性感光体プレート）１０１を収容するカセッテ１０と、プレート１０１を通じて放射線画像情報を読み取る読取装置２０により構成されている。
【００１５】
カセッテ１０は、蛍光体層を有するプレート１０１を内部に収容し、別の場所に設置された臥位撮影台又は立位撮影台等にセットされて放射線画像の撮影に利用される。撮影後に読取装置２０で放射線画像情報を読み取る場合は、カセッテ１０は図１に示すように横方向に読取装置２０の装填部２０１に装填される。装填部２０１には複数のサイズのカセッテ１０が装填可能である。なお、複数のサイズのカセッテはいずれもセンター基準で構成されている。
【００１６】
カセッテ１０内のプレート１０１に記憶されている放射線画像情報を読取装置２０で読み取る場合は、装填部２０１に充填されたカセッテ１０からプレート１０１が取り出され、搬送経路に設置されたニップローラ対（搬送部）ＮＲ、搬送ローラ対（搬送部）Ｒ１、Ｒ２により消去部２０２を経由して読取部２０３における読取位置Ｒに搬送される。プレート１０１の先端がニップローラ対ＮＲ、搬送ローラ対Ｒ１、Ｒ２により読取位置Ｒに搬送された際、小サイズのプレートの場合には当該プレートの後端部はカセッテ１０内部からは離間しているが、大サイズのプレートは、図２に示すように、プレート１０１の一部がまだカセッテ１０の内部に残っている状態になっており、カセッテ１０のハウジングが搬送経路の一部を成している。従って、放射線画像読取システム１全体として小型となっている。
【００１７】
プレート１０１はニップローラ対ＮＲ、搬送ローラ対Ｒ１、Ｒ２により励起光副走査のために定速で搬送される。そして照射部２０４から出射した励起光としてのレーザビームＬが、プレート１０１上を図１の矢印ａ方向とほぼ直角な方向に走査（主走査）する。
【００１８】
レーザビームＬの照射を受けたプレート１０１から蓄積記録されている放射線画像情報に対応した光量の輝尽発光光が発せられ、この輝尽発光光は光ガイド２０３Ａを介して光電子増倍管等の光検出器２０３Ｂによって検出される。したがって光検出器２０３Ｂからは、プレート１０１に蓄積記録されている放射線画像情報を示す出力信号が得られる。この出力信号を例えばＣＲＴ表示装置や光走査記録装置等の画像再生装置に送って画像再生に供すれば、プレート１０１に記録されていた放射線画像が可視像として再生される。
【００１９】
放射線画像情報の読取りが終了したプレート１０１は、ニップローラ対ＮＲ、搬送ローラ対Ｒ１、Ｒ２がそれまでとは逆方向に回転されることにより消去部２０２に送られる。消去部２０２をプレート１０１が通過する際、消去光源が点灯され、それらから発せられた消去光がプレート１０１に照射される。放射線画像情報読取り後もプレート１０１に残存していた放射線エネルギーは、この消去光照射によりプレート１０１から放出され、プレート１０１は新たに放射線画像撮影に使用され得る状態となる。
【００２０】
この消去処理を受けたプレート１０１は、カセッテ１０内に搬入される。この消去が終了したプレート後端部を搬入する際、ニップローラ対ＮＲは、プレート１０１を勢い良くカセッテ１０内に放り込み、プレート後端を図４のＴＲ１よりカセッテ内部側まで搬送すべく、高速で回転される。
【００２１】
［プレートの概要］
プレート１０１は、支持体上に蛍光体層（輝尽性蛍光体粒子とバインダーとから構成される）と保護膜が積層され、その積層体の側面がシリコーン系ポリマーとポリイソシアネートの硬化皮膜により被覆されている。
【００２２】
蛍光体層を構成する輝尽性蛍光体は、放射線を照射した後、励起光を照射すると輝尽発光を示す蛍光体であるが、実用的な面からは波長が４００〜９００ｎｍの範囲にある励起光によって３００〜５００ｎｍの波長範囲の輝尽発光を示す蛍光体であることが望ましい。
【００２３】
支持体の材料の例としては、セルロースアセテート、ポリエステル、ポリエチレンテレフタレート、ポリアミド、ポリイミド、トリアセテート、ポリカーボネートなどのプラスチック物質のフィルムが好ましい。
【００２４】
保護膜の材料の例としては、ポリウレタン樹脂、ポリアクリル樹脂、セルロース誘導体、ポリメチルメタクリレート、ポリエステル樹脂、エポキシ樹脂、有機溶媒可溶性のフッ素系樹脂などを挙げることができる。
【００２５】
［カセッテの構造］
図３は、カセッテ１０を斜め上方から見た斜視図である。
【００２６】
カセッテ１０は箱形の形状となっており、フロント板１０２とバック板１０３によりカセッテ１０のハウジングを形成している。バック板１０３の表面には、第１開口１０３Ａ、第２開口１０３Ｂ、第３開口１０３Ｃ等の複数の開口が設けられている。
【００２７】
図４は、図１に示す破線Ｘ領域におけるカセッテ１０の側面を示す部分拡大図である。
【００２８】
カセッテ１０が読取装置２０に装填されている状態では、図４に示すようにフロント板１０２が下方になり、バック板１０３が上方になっている。プレート１０１の蛍光体層は下方にセットされプレート１０１が読取装置２０に搬送されるため、蛍光体層にホコリ等の異物が残りにくく、適正な読取画像を得る事が出来る。
【００２９】
プレート１０１の上方にはプレート１０１を保持するトレーＴＲが設置されている。プレート１０１は後述する押圧部ＰＲにより図４に示す矢印ｂ方向に押圧され、トレーＴＲの基準面（基準位置）ＴＲ１にプレート１０１の先端部１０１Ｆが当接している。
【００３０】
プレート１０１がカセッテ１０から引き出される場合は、図５に示すようにプレート１０１がトレーＴＲに保持された状態で引き出される。図６は、プレート１０１とトレーＴＲが引き出された状態を示す斜視図である。図６に示すように、トレーＴＲの先端の中央部にはトレー開口ＴＲ２が形成されており、トレーＴＲの下方に保持されたプレート１０１がトレー開口ＴＲ２から見える状態となっている。後述するが、トレー開口ＴＲ２を通じて、カセッテ１０から引き出されたプレート１０１をニップローラ対ＮＲが挟持し、読取装置２０の内部にプレート１０１が搬送される。
【００３１】
図７は、トレーＴＲに設置された爪ＮＡを示すカセッテ側面の部分断面図である。
【００３２】
カセッテ１０のハウジングを構成するバック板１０３には第３開口１０３Ｃ（図６参照）が設置されており、この第３開口１０３Ｃの係止部Ｐ２にトレーＴＲに設置された爪ＮＡの係止部Ｐ１が接触している。図７に示す状態ではトレーＴＲは引き出されない。爪ＮＡはＮＡ１を支点として矢印ｃ方向に回動可能であり、爪ＮＡが矢印ｃ方向に回動すると、爪ＮＡの係止部Ｐ１が第３開口１０３Ｃの係止部Ｐ２から離れ、トレーＴＲは図５、図６に示すように引き出し可能となる。
【００３３】
カセッテ１０は技師による搬送途中の落下等により突発的な衝撃が加わる恐れがあるため、プレート１０１を保持したトレーＴＲが突発的な衝撃により不意に飛び出すことがないよう、爪ＮＡの係止部Ｐ１は平坦となっており、第３開口１０３Ｃの係止部Ｐ２と面接触している。
【００３４】
カセッテ１０が読取装置２０に装填されてトレーＴＲを引き出す際は、爪ＮＡを後述する押下部２０６により押し下げてＮＡ１を支点として矢印ｃ方向に回動させるが、爪ＮＡの係止部Ｐ１が第３開口１０３Ｃの係止部Ｐ２と面接触しているため、図７に示す状態では第３開口１０３Ｃの係止部Ｐ２が邪魔となって爪ＮＡが矢印ｃ方向に回動しない。そこで、カセッテ１０が読取装置２０に装填されてトレーＴＲを引き出す際は、図８に示すようにトレーＴＲを一旦、矢印ｄ方向に移動させて爪ＮＡの係止部Ｐ１を第３開口１０３Ｃの係止部Ｐ２から離間させる。このようにすれば、後述する押下部２０６により爪ＮＡを矢印ｃ方向に円滑に回動させることが出来る。
【００３５】
図９はプレート１０１とトレーＴＲをフロント板１０２側から見た平面図である。
【００３６】
カセッテ１０からプレート１０１とトレーＴＲを引き出す際に、カセッテ１０の後端側（図３に示す１０Ｒ側）に位置する押圧部ＰＲがプレート１０１の後端部１０１Ｒを矢印ｅ方向に押圧し、プレート１０１の先端部１０１ＦをトレーＴＲの基準面ＴＲ１に突き当てる。押圧部ＰＲは図１０に示すようにＬ字形状となっており、押圧部ＰＲの立った部分がプレート１０１の後端部１０１Ｒに接触して押圧する。このような構造により、カセッテ１０からプレート１０１とトレーＴＲを引き出す際に、プレート１０１の先端部１０ＦがトレーＴＲの基準面ＴＲ１に突き当たるため、カセッテＴＲに対してプレート１０１の位置が正確に固定される。
【００３７】
図１１は、カセッテ１０の後端部側から見たトレーＴＲ、プレート１０１、押圧部ＰＲ、フロント板１０２との関係を示す部分断面図である。
【００３８】
カセッテ１０が読取装置２０に装填された状態では、図１１に示すようにトレーＴＲの下方にプレート１０１が位置する。図９、図１０で示したようにＬ字形状の押圧部ＰＲを確実にプレート１０１の後端部１０１Ｒに接触させるため、フロント板１０２には押圧部ＰＲの両側に部分的な凸部Ｍ１が設けられている。当該凸部Ｍ１が設けられていることにより、プレート１０１の先端部が自重やカールにより下方に移動し難くなり、必ず押圧部ＰＲにプレート１０１の後端部１０１Ｒを係止させることができるので、トレー引き出し時にプレート斜行を誘発したり増加させたりすることが無い。但し、フロント板１０２の厚みの急激な変化により、放射線画像の撮影に影響があるため、凸部Ｍ１の高さｔ１を１ｍｍ、幅ｔ２を１６ｍｍ以上にして斜面の傾きを３．５°以下にすることが好ましい。
【００３９】
図１２にカセッテ１０の先端部の部分拡大図を示すが、プレート１０１がトレーＴＲとともに引き出されてもトレーＴＲからプレート１０１の先端部１０１Ｆが落下しないよう、基準面ＴＲ１の下方には全幅あるいは幅手の一部にテーパ部Ｍ２が設けられている。
【００４０】
また、フロント板１０２には凸部Ｍ３が設けられており、プレート１０１がカセッテ１０に収容されている状態でプレート１０１を上方に押し上げ、プレート１０１の先端部１０１Ｆが基準面ＴＲ１に当接する様にし、点接触ではなく、面接触するようにしている。プレート１０１の先端部１０１Ｆが基準面ＴＲ１に点接触すると技師によるカセッテ搬送途中の落下等により突発的な衝撃が加わり、プレート１０１の端部が損傷する可能性があるため、面接触させて当該損傷を防止している。
【００４１】
図１３は、トレーＴＲがバック板１０３に支持されている構造を示す説明図である。図１３に示す矢印ｅ方向は、トレーＴＲが引き出される方向（図４における矢印ｂ方向）を示している。
【００４２】
トレーＴＲの上方にはフックＴＲ３が設けられており、バック板１０３の内部に形成された長穴である支持穴ＭＺにフックＴＲ３が引っ掛かって、バック板１０３にトレーＴＲが移動可能に支持されている。なお、フックＴＲ３と支持穴ＭＺはカセッテ１０内に複数設置されている。
【００４３】
図１３で示すようにフックＴＲ３が支持穴ＭＺに引っ掛かってもフックＴＲ３は支持穴ＭＺ内でｆ方向に移動可能である。これにより、引き出された状態でトレーＴＲはカセッテ１０に対して図６で示す矢印方向に移動可能となり、カセッテ１０が読取装置２０の装填部２０１に多少斜めに充填されても読取装置２０に対するトレーＴＲの位置が修正出来る。
【００４４】
図７、図８で説明した爪ＮＡとともに、トレーＴＲが不意に飛び出すことを防止するため、カセッテ１０内には爪ＮＡ以外にトレーＴＲの飛び出し防止機構が設置されている。図１４は、トレーＴＲの飛び出し防止機構を示す説明図である。図１４に示す矢印ｇ方向は、トレーＴＲが引き出される方向（図４における矢印ｂ方向）を示している。
【００４５】
バック板１０３の内部には、第１ブロックＢＲ１、第２ブロックＢＲ２、付勢バネＳＰが設置されており、トレーＴＲの上方には突起ＴＲ４が設置されている。
【００４６】
第１ブロックＢＲ１はバック板１０３の内部に設置された状態で図１４に示す矢印ｉ方向に移動可能であり、第１ブロックＢＲ１に設置されている突起ＴＫが図１５に示すようにバック板１０３の第２開口１０３Ｂを通じてカセッテ１０の外側に現れている。
【００４７】
第１ブロックＢＲ１の一部に付勢バネＳＰが係合し、第１ブロックＢＲ１を矢印ｈ方向に付勢している。従って、トレーＴＲがカセッテ１０に収容されている状態では、第１ブロックＢＲ１は矢印ｉ方向に移動せず、付勢バネＳＰにより矢印ｈ方向に付勢されて図１４に示す状態となっている。
【００４８】
第１ブロックＢＲ１と隣接して第２ブロックＢＲ２が設置されており、第２ブロックＢＲ２は第１ブロックＢＲ１によりＹ領域で係止されている。また第２ブロックＢＲ２はＢＲ３を支点として図１４に示す矢印ｊ方向又は矢印ｊ方向と逆方向に回動可能である。
【００４９】
トレーＴＲがカセッテ１０に収容されている状態では図１４に示す状態になっているため、第２ブロックＢＲ２は第１ブロックＢＲ１に係合し矢印ｊ方向に回動しない。そのような状態ではトレーＴＲの上方に設置された突起ＴＲ４が第２ブロックＢＲ２と接触し、突起ＴＲ４とともにトレーＴＲは矢印ｇ方向、つまり、トレーＴＲの引き出し方向には移動しない。
【００５０】
一方、カセッテ１０と読取装置２０に充填してカセッテ１０からトレーＴＲを引き出す場合は、後述する突起移動部２０５が第１ブロックＢＲ１の突起ＴＫを付勢バネＳＰの付勢力に逆らって矢印ｉ方向に移動させる。するとＹ領域に示す第１ブロックＢＲ１と第２ブロックＢＲ２との係合が解除される。
【００５１】
その後、後述する引出部２０７によりトレーＴＲが引き出されると、第２ブロックＢＲ２がＢＲ３を支点として矢印ｊ方向に回動し、カセッテ１０からトレーＴＲが引き出される。このような構造によりカセッテ１０に加わる突発的な衝撃によるトレーＴＲの飛び出しを防止している。
【００５２】
［プレート及びトレーの引出動作］
次に、カセッテ１０が読取装置２０の装填部２０１に装填されてプレート１０１を保持するトレーＴＲが引き出され、ニップローラ対ＮＲによりプレート１０１が読取装置２０の内部に搬送される動作について詳しく説明する。
【００５３】
まず、任意のサイズのカセッテ１０が読取装置２０の装填部２０１に装填されると、図１６に示すように、突起移動部２０５が図１４、図１５で説明した突起ＴＫを矢印ｋ方向（図１４における矢印ｉ方向）に移動させる。その結果、図１４に示す第１ブロックＢＲ１と第２ブロックＢＲ２との係合が解除され、トレーＴＲが引き出し可能な状態となる。
【００５４】
そして図７、図８で説明した爪ＮＡを押し下げ可能にするため、図１７に示す引出部２０７が図１７の状態から下方に移動し、トレーＴＲの上方に設置されて第１開口１０３Ａから外側に現れているトレー突起ＴＲ５と接触する。その後、引出部２０７によりトレー突起ＴＲ５を矢印ｍ１方向に移動させ、図８に示すように、爪ＮＡの係止部Ｐ１を第３開口１０３Ｃの係止部Ｐ２から離間させる。
【００５５】
次に、図１８で示すように、第３開口１０３Ｃから外側に現れている爪ＮＡ（図７、図８参照）を押下部２０６により押し下げ、トレーＴＲが引き出し可能な状態となる。
【００５６】
突起移動部２０５、押下部２０６、引出部２０７の動作によりトレーＴＲが引き出し可能な状態になった後、図１９に示すようにトレー突起ＴＲ５を引出部２０７により引き出し方向である矢印ｍ２方向に移動させる。するとカセッテ１０の先端部からトレーＴＲが引き出され、トレーＴＲの先端部が基準板ＫＢの基準面（ニップローラ対ＮＲの基準位置）に当接する。
【００５７】
図１９に示す状態をカセッテ１０の側面からみた図が図２０である。図２０でも示すように、トレーＴＲが基準板ＫＢの基準面に当接しており、トレーＴＲが読取装置２０に対して適正な位置となっている。なお、図２０に示すトレーの引き出し量Ｔはどのようなサイズのカセッテ１０が読取装置２０に装填されても一定となっており、引き出し動作の共通化が図られている。
【００５８】
図２０に示すようにプレート１０１とトレーＴＲが引き出された後は、上方に位置する第１ニップローラＮＲ１（ニップローラ対ＮＲを構成するローラ）が下方に移動して、トレー開口ＴＲ２（図６参照）を通じて第１ニップローラＮＲ１がプレート１０１に接触し、図２１に示すように第１ニップローラＮＲ１と第２ニップローラＮＲ２（ニップローラ対ＮＲを構成するローラ）によりプレート１０１が挟持される。
【００５９】
その後、図２２に示すように、持上部２０８によりトレーＴＲの先端部が持ち上げられ、第１ニップローラＮＲ１と第２ニップローラＮＲ２の駆動力によりプレート１０１が図２２に示す矢印方向に移動する。
【００６０】
以上、図３〜図２２を用いてカセッテ１０の構造、プレート１０１とトレーＴＲが引き出される構造を説明したが、カセッテ１０内の押圧部ＰＲによりプレート１０１がトレーＴＲに対して位置が固定され、引出部２０７によりトレーＴＲが基準板ＫＢの基準面に当接するため、プレート１０１が読取装置２０に搬送される際に適正な位置で送り込まれる。その結果、装置の大型化を伴うことなく、プレート１０１と読取部２０３の読取位置Ｒとのアライメント（平行度）を適正範囲に維持することが出来る。
【００６１】
［カセッテのその他の構造］
カセッテ１０には技術的な工夫が各種なされており、これまで説明した構造以外の構造について説明する。
【００６２】
図２３は、プレート１０１とトレーＴＲをフロント板１０２側から見た平面図である。
【００６３】
トレーＴＲがカセッテ内に完全に収容された際、図２３に示すようにプレート１０１はバック板２３に設置されたサイド規制部材ＳＤによって左右が規制され、カセッテ内でのプレート位置（巾方向）がセンター基準に規制される。
【００６４】
図２４は、サイド規制部材ＳＤを示す拡大斜視図である。
【００６５】
トレーＴＲに保持されたプレート１０１は、カセッテ１０に収容される際にプレート１０１の側面部１０１Ｓがガイド部ＳＤ１に沿って移動し、最終的にプレート１０１は左右方向にサイド規制部材ＳＤ１によって規制される。
【００６６】
サイド規制部材ＳＤは緩衝材ＫＳを介してバック板１０３の固定部ＫＴに固定されている。緩衝材ＫＳの一辺ＫＳ１は３ｍｍ〜５ｍｍのものであり、ショア硬度は５０°〜７０°のものが好ましい。技師等がカセッテを落下させるなどして、強い衝撃を加えた場合、プレート１０１がサイド規制部材ＳＤに接触すると緩衝材ＫＳが変形し、Ｚの箇所を支点としてサイド規制部材ＳＤが図２４の矢印方向に衝撃を吸収しながら傾く。
【００６７】
技師等がカセッテを落下させるなどして、強い衝撃を加えた場合、サイド規制部材ＳＤが傾くことなく固定されているとプレート１０１の側面部１０１Ｓがサイド規制部材ＳＤにより損傷する可能性があるが、図２４に示すようにサイド規制部材ＳＤが緩衝材ＫＳにより衝撃を吸収しながら傾くことが可能であるため、プレート１０１の側面部１０１Ｓがサイド規制部材ＳＤ１によって損傷することはない。
【００６８】
プレート１０１を押圧する押圧部ＰＲは、図２３に示すように、プレート１０１がカセッテ１０に完全に収容されると、プレート１０１の後端部１０１Ｒから離間し、隙間ｔ３が生じる。つまり、プレート１０１がカセッテ１０に完全に収容されると、押圧部ＰＲはプレート１０１の後端部１０１Ｒに接触せず、プレート１０１がトレーＴＲとともに引き出される際に押圧部ＰＲがプレート１０１の後端部１０１Ｒに接触する構造となっている。これは、プレート１０１がカセッテ１０に収容されている最中、常時押圧部ＰＲがプレート１０１の後端部１０１Ｒを押圧しているとプレート１０１の後端部１０１Ｒが損傷してしまう可能性が高くなるからである。ここで図２５を用いて押圧部ＰＲによる押圧を解除する構造を説明する。
【００６９】
図２５は、押圧部２５の詳細構造を示す斜視図である。
【００７０】
押圧部ＰＲは二つの付勢バネＳＲによりｎ方向に付勢されており、プレート１０１が引き出させる際にプレート１０１の後端部１０１Ｒに接触してプレート１０１をｎ方向に押圧する。
【００７１】
押圧部ＰＲの一旦にはＫＤ２を支点として矢印ｐ方向又は矢印ｐ方向と逆方向に回動可能な解除部ＫＤ１が設置されている。トレーＴＲがカセッテ１０の内部に収容されるためにカセッテＴＲとプレート１０１が矢印ｏ方向に移動してくると、バック板１０３に設置されたリブ１０３Ｔが解除部ＫＤ１の一部に接触し、解除部ＫＤ１が矢印ｐ方向に回動する。
【００７２】
その結果、解除部ＫＤ１の一部が押圧部ＰＲの一部に接触して付勢バネＳＰの付勢力に逆らって押圧部ＰＲが矢印ｎ方向と逆方向に移動し、プレート１０１とトレーＴＲがカセッテ１０に完全に収容されると、押圧部ＰＲがプレート１０１の後端部１０１Ｒから離間し、押圧部ＰＲにより押圧が解除される。
【００７３】
図２６は、フロント板とバック板が固定される構造を示す側面図である。
【００７４】
バック板１０３に設けられた係合爪ＳＴ１が図２５に示す矢印方向に移動して、フロント板１０２に設けられた係合爪ＳＴ２に填り込んで、フロント板１０２とバック板１０３が接触する。これによりフロント板１０２とバック板１０３の位置規制がなされる。
【００７５】
フロント板１０２には第１固定部ＫＢ１が設置されており、第１固定部ＫＢ１の内部において図２６の上下方向に移動可能な第２固定部ＫＢ２に設置されている。第１固定部ＫＢ１、第２固定部ＫＢ２とも金属で形成されており、一定の強度を確保している。
【００７６】
第２固定部ＫＢ２にはネジ部が形成されており、バック板１０３の穴ＨＬを通じてネジＢＳが第２固定部ＫＢ２のネジ部にネジ止めされる。
【００７７】
図２７は、第１固定部ＫＢ１、第２固定部ＫＢ２を示す拡大図である。
【００７８】
第２固定部ＫＢ２の上部には複数の凸部ＴＥ１が設けられており、バック板１０３には複数の凹部ＴＥ２が設けられている。ネジＢＳが第２固定部ＫＢ２のネジ部にネジ止めされると、第２固定部ＫＢ２が上方に移動し、凸部ＴＥ１と凹部ＴＥ２が一定の隙間を形成して噛み合う。この凸部ＴＥ１と凹部ＴＥ２が噛み合うことにより、カセッテ１０が曲げられた時に突っ張って剛性を確保することが出来る。また、凸部ＴＥ１と凹部ＴＥ２が一定の隙間を形成することにより材料収縮時の差を吸収することが出来る。
【００７９】
なお、本発明は当該実施の形態に限定されるものではなく、本発明の要旨を逸脱しない範囲における変更や追加があっても本発明に含まれる。
【符号の説明】
【００８０】
１  放射線画像読取システム
１０  カセッテ
２０  読取装置
１０１  プレート
１０２  フロント板
１０３  バック板
２０１  装填部
２０２  消去部
２０３  読取部
２０４  照射部
２０５  突起移動部
２０６  押下部
２０７  引出部
２０８  持上部
ＴＲ  トレー
ＰＲ  押圧部
ＫＤ１  解除部
【図１】
2012098645.tif 000003
【図２】
2012098645.tif 000004
【図３】
2012098645.tif 000005
【図４】
2012098645.tif 000006
【図５】
2012098645.tif 000007
【図６】
2012098645.tif 000008
【図７】
2012098645.tif 000009
【図８】
2012098645.tif 000010
【図９】
2012098645.tif 000011
【図１０】
2012098645.tif 000012
【図１１】
2012098645.tif 000013
【図１２】
2012098645.tif 000014
【図１３】
2012098645.tif 000015
【図１４】
2012098645.tif 000016
【図１５】
2012098645.tif 000017
【図１６】
2012098645.tif 000018
【図１７】
2012098645.tif 000019
【図１８】
2012098645.tif 000020
【図１９】
2012098645.tif 000021
【図２０】
2012098645.tif 000022
【図２１】
2012098645.tif 000023
【図２２】
2012098645.tif 000024
【図２３】
2012098645.tif 000025
【図２４】
2012098645.tif 000026
【図２５】
2012098645.tif 000027
【図２６】
2012098645.tif 000028
【図２７】
2012098645.tif 000029